【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
データをホログラフィックディスクに記録する方法であって、
第１の光学素子群から前記ホログラフィックディスクの第１の側に向かう複数の信号ビームを発するステップと、
第２の光学素子群から前記ホログラフィックディスクの第２の側に向かう複数の基準ビームを発するステップと、
前記複数の信号ビームのスポットが前記ホログラフィックディスクのターゲット層にある複数のターゲットデータトラックに整合しているかどうかを判定するステップと、
前記ホログラフィックディスクの記録中に複数の照射スポットを形成するように、前記複数の基準ビーム中の各基準ビームが、前記複数の信号ビーム中の対応する信号ビームと実質的に重なり合っているかどうかを判定するステップと、
前記複数の信号ビームのうちの１つ以上の信号ビームが、前記ホログラフィックディスクのターゲット層にある前記複数のターゲットデータトラックに整合していないと判定された場合に、前記第１の光学素子群のうちの１つ以上の光学素子を調節するステップと、
前記複数の基準ビームのうちの１つ以上の基準ビームが、複数の照射スポットを形成するようには前記複数の信号ビーム中の前記対応する信号ビームと実質的に重なり合っていないと判定された場合に、前記第２の光学素子群のうちの１つ以上の光学素子を調節するステップと、
を含む方法。
【請求項２】
前記複数の照射スポットは、前記ホログラフィックディスクのターゲット層にある前記ターゲットデータトラックに形成された複数のマイクロホログラムに対応する、請求項１に記載の方法。
【請求項３】
前記ホログラフィックディスクは、１つ以上の基準溝を含む基準層を有する、請求項１または２に記載の方法。
【請求項４】
前記複数のターゲットデータトラックに対応する、前記基準層内のターゲット溝に向かって、前記第１の光学素子群からトラッキングビームを発するステップを更に含む、請求項３に記載の方法。
【請求項５】
前記複数の信号ビームスポットが前記複数のターゲットデータトラックに整合しているかどうかを判定する前記ステップは、前記複数の信号ビームを前記ホログラフィックディスクの前記基準層で収束させることと、初期化過程において、前記ホログラフィックディスクの前記基準層の２つ以上のターゲット溝から反射した前記複数の信号ビームの反射を解析することと、を含む、請求項３に記載の方法。
【請求項６】
複数の照射スポットを形成するように、各基準ビームが、対応する信号ビームと実質的に重なり合っているかどうかを判定する前記ステップは、前記ディスクを透過した前記信号ビームのうちの２つ以上の信号ビームについて強度分布を解析することを含む、請求項１乃至５のいずれかに記載の方法。
【請求項７】
複数の照射スポットを形成するように、各基準ビームが、対応する信号ビームと実質的に重なり合っているかどうかを判定する前記ステップは、前記ディスクを透過した前記基準ビームのうちの２つ以上の基準ビームについて強度分布を解析することを含む、請求項１乃至６のいずれかに記載の方法。
【請求項８】
前記第１の光学素子群の調節に基づいて、前記第２の光学素子群を調節するステップを含む、請求項１乃至７のいずれかに記載の方法。
【請求項９】
前記第１の光学素子群を調節する前記ステップは、１つ以上のレンズを接線方向又は半径方向の一方又は両方に傾斜させることを含む、請求項１乃至８のいずれかに記載の方法。
【請求項１０】
前記第１の光学素子群及び前記第２の光学素子群のうちの１つ以上の光学素子を調節する前記ステップは、光学素子を回転させることによって、前記複数の信号ビームの、軸方向、半径方向、及び接線方向のうちの１つ以上の方向の位置変化を達成することを含む、請求項１乃至９のいずれかに記載の方法。
【請求項１１】
前記第１の光学素子群及び前記第２の光学素子群のうちの１つ以上の光学素子を調節する前記ステップは、レンズ群を軸方向、半径方向、及び接線方向のうちの１つ以上の方向に平行移動させることを含む、請求項１乃至１０のいずれかに記載の方法。
【請求項１２】
前記第１の光学素子群を調節する前記ステップは、光学素子を回転させることによって前記複数の信号ビームの配列の向きを回転させることを含む、請求項１乃至１１のいずれかに記載の方法。
【請求項１３】
ホログラフィックディスクにマイクロホログラムを記録するシステムであって、
前記ホログラフィックディスクの第１の側から、１つ以上のターゲットデータ層の複数のターゲットデータトラックで複数の信号ビームを収束させるように構成された、第１の光学系であって、前記第１の光学系の第１の光学素子群を作動させて、前記複数の信号ビームのそれぞれを複数のターゲットデータトラックのそれぞれのトラックと位置合わせするように構成された第１のサーボ機械素子群と結合された、第１の光学系と、
前記第１の側の反対側である、前記ホログラフィックディスクの第２の側から、複数の基準ビームを前記ターゲットデータ層に向けて伝送するように構成された、第２の光学系であって、前記１つ以上のターゲットデータ層の前記複数のターゲットデータトラックのそれぞれのトラックに干渉パターンが形成されるように、前記複数の基準ビームのそれぞれを、前記複数の信号ビームのそれぞれと位置合わせするように作動されるべく構成された第２の光学素子群を備える、第２の光学系と、
を備えるシステム。
【請求項１４】
前記第２の光学系は、第２のサーボ機械素子群を備え、前記第２の光学素子群は、前記第２のサーボ機械素子群によって作動されるように構成されている、請求項１３に記載のシステム。
【請求項１５】
前記第１の光学系は、前記複数の信号ビームの、前記ホログラフィックディスクの基準層の２つ以上の溝からの反射を含む反射を受信するように構成された第１の検出器群と結合されており、前記第１の検出器群は、誤差信号を発生させ、前記誤差信号を前記第１の光学系に伝達するように構成されている、請求項１３または１４に記載のシステム。
【請求項１６】
前記第２の光学系は、前記複数の信号ビームのうちの１つ以上の信号ビームの伝送、又は前記複数の基準ビームのうちの１つ以上の基準ビームの伝送を受信するように構成された第２の検出器群と結合されており、前記第２の検出器群は、誤差信号群を発生させ、前記誤差信号群を前記第２の光学系に伝達するように構成されている、請求項１３乃至１５のいずれかに記載のシステム。
【請求項１７】
前記第１の光学系は、前記第１の光学素子群中の第１のレンズ群を半径方向及び接線方向のうちの一方又は両方の方向に傾斜させることにより、前記第１のレンズ群を作動させるように構成されている、請求項１３乃至１６のいずれかに記載のシステム。
【請求項１８】
前記第１の光学系及び前記第２の光学系のうちの一方又は両方が、光学素子を半径方向及び接線方向のうちの一方又は両方の方向に傾斜させることによって前記光学素子を作動させるように構成されている、請求項１３乃至１７のいずれかに記載のシステム。
【請求項１９】
前記第１の光学系は、前記複数の信号ビームの伝搬の軸に沿って光学素子を回転させることにより、前記光学素子を作動させるように構成されている、請求項１３乃至１８のいずれかに記載のシステム。
【請求項２０】
前記第１の光学系は、前記ホログラフィックディスクの基準層のターゲット溝でトラッキングビームを収束させるように構成されている、請求項１３に記載のシステム。
【請求項２１】
前記第１の光学系は、前記トラッキングビームの、前記基準層の前記ターゲット溝からの反射を受信するように構成された第３の検出器と結合されている、請求項２０に記載のシステム。
【請求項２２】
前記第３の検出器は、前記トラッキングビームの前記反射を解析し、前記反射解析に基づく誤差信号群を前記第１の光学系に提供するように構成されている、請求項２１に記載のシステム。
【請求項２３】
前記第１の光学系は、前記誤差信号群に対する応答として、前記第１の光学素子群の前記第１のレンズ群を、軸方向、半径方向、及び接線方向のうちの１つ以上の方向に平行移動させるように構成されている、請求項２２に記載のシステム。
【請求項２４】
ホログラフィックディスクを事前フォーマットするシステムであって、
前記ホログラフィックディスクの複数のデータトラックに複数の信号ビームを当てるように構成され、且つ、前記ホログラフィックディスクの基準層にある、前記複数のデータトラックに対応するターゲット溝にトラッキングビームを当てるように構成された、第１の光学ヘッドと、
前記複数のデータトラックに複数の基準ビームを当てることにより、前記複数の信号ビームと前記複数の基準ビームとをデータ層内で干渉させて、複数の照射スポットを含む干渉パターンを形成させるように構成された、第２の光学ヘッドと、
前記トラッキングビームの、前記ホログラフィックディスクからの反射を検出するように構成され、且つ、前記トラッキングビームの前記反射が、前記トラッキングビームが前記ターゲット溝で収束していないことを示している場合に、第１の誤差信号群を発するように構成されたトラッキング検出器と、
前記複数の信号ビームの伝送又は前記複数の基準ビームの伝送のうちの一方又は両方の伝送を検出するように構成され、且つ、前記複数の基準ビームが前記複数の信号ビームのそれぞれの信号ビームに整合していない場合に、第２の誤差信号群を発するように構成された、第２の検出器群と、
前記第１の光学ヘッド及び前記第２の光学ヘッドと結合され、前記トラッキング検出器及び前記第２の検出器群のうちの一方又は両方から前記誤差信号群を受信し、前記誤差信号群に対する応答として、前記第１の光学ヘッド及び前記第２の光学ヘッドのうちの一方又は両方にある光学素子を作動させるように構成された、１つ以上のサーボ機械素子と、
を備えるシステム。
【請求項２５】
前記１つ以上のサーボ機械素子は、前記誤差信号群に対する応答として、前記第１の光学ヘッド及び前記第２の光学ヘッドのうちの一方又は両方にある光学素子を作動させることにより、記録過程中の前記システムに対する前記ホログラフィックディスクの移動を補償するように構成されている、請求項２４に記載のシステム。
【請求項２６】
前記１つ以上のサーボ機械素子は、前記ホログラフィックディスクが不完全であることに対する応答として、前記第１の光学ヘッド及び前記第２の光学ヘッドのうちの一方又は両方にある光学素子を作動させるように構成されている、請求項２４または２５に記載のシステム。
【請求項２７】
前記光学素子群の前記作動は、前記１つ以上の光学素子を、前記システムに対して、軸方向、接線方向、又は半径方向のうちの１つ以上の方向に傾斜させること、回転させること、又は平行移動させることのうちの１つ以上を含む、請求項２４乃至２６のいずれかに記載のシステム。
【請求項２８】
前記第２の検出器群は、収束誤差信号群から１つ又は２つの差信号を生成するように構成され、且つ、前記差信号を用いて半径方向又は接線方向の傾斜サーボ誤差信号群を発するように構成された、請求項２４乃至２７のいずれかに記載のシステム。
【請求項２９】
前記トラッキング検出器及び前記第２の検出器群のうちの前記一方又は両方は、前記ホログラフィックディスクの回転速度を示す信号を発するように構成されている、請求項２４乃至２８のいずれかに記載のシステム。
【請求項３０】
前記ホログラフィックディスクを所望の速度で回転させるように構成されたサーボ機械系を備える、請求項２４乃至２９のいずれかに記載のシステム。
【請求項３１】
前記サーボ機械系は、前記第１の光学ヘッド、前記第２の光学ヘッド、前記トラッキング検出器、及び前記第２の検出器群のうちの１つ以上に対して前記ホログラフィックディスクを動かすように構成されている、請求項３０に記載のシステム。
【請求項３２】
前記サーボ機械系は、前記第１の光学ヘッド、前記第２の光学ヘッド、前記トラッキング検出器、及び前記第２の検出器群のうちの１つ以上を前記ホログラフィックディスクに対して動かすように構成されている、請求項３０に記載のシステム。